(57)【要約】【課題】  巻鉄心素体の外周に嵌合する整形保持枠を用いなくても済む製造方法及び製造装置を提供する。【解決手段】  珪素鋼板薄帯を所定回数巻回して楕円状に変形させた巻鉄心素体２の対応する二辺部のそれぞれを、外側及び内側整形治具４，４，５，５を含む狭持用整形治具７，７により狭持し、これら狭持用整形治具７，７の一方を介して吊持装置８により吊持して、焼鈍する製造方法により、良好な寸法形状を有した変圧器の巻鉄心１を製造することができる。また、巻鉄心１と寸法の異なった巻鉄心を製造する場合は、巻鉄心の寸法に合わせて内側整形治具を用意し、外側整形治具４，４を共通に使用することで、寸法の異なった巻鉄心を整形することができる。【選択図】  図３
2005286169.tif 000002
【特許請求の範囲】
【請求項１】
珪素鋼板薄帯を所定回数巻回して構成され且つ略楕円状に形成された巻鉄心素体の対応する二辺部のそれぞれを、所定の直線寸法となるように狭持用整形治具で狭持し、これら狭持用整形治具の一方を介して前記巻鉄心素体を吊持し、この状態で当該巻鉄心素体を焼鈍するようにしたことを特徴とする変圧器の巻鉄心の製造方法。
【請求項２】
珪素鋼板薄帯を所定回数巻回して構成され且つ略楕円状に形成された巻鉄心素体の対応する二辺部の内の一方の辺部を、所定の直線寸法になるように前記狭持用整形治具で狭持し、載置基準面から前記一方の辺部の上面までが所定の高さ寸法になるように狭持用整形治具を介して前記巻鉄心素体を吊持すると共に、前記巻鉄心素体の前記一方の辺部と対応する他方の辺部の上面に反止め用整形治具を設置し、この状態で当該巻鉄心素体を焼鈍するようにしたことを特徴とする変圧器の巻鉄心の製造方法。
【請求項３】
珪素鋼板薄帯を所定回数巻回して構成され且つ略楕円状に形成された巻鉄心素体の対応する二辺部のそれぞれを、所定の直線寸法となるように狭持用整形治具で狭持し、狭持しない方の対応する二辺部間に、これらの二辺部の所定の直線寸法を確保するための窓用整形治具を配置し、この状態で前記狭持用整形治具に互いに離反する方向の引張力を加えて前記巻鉄心素体を整形し、しかる後、当該巻鉄心素体を焼鈍するようにしたことを特徴とする変圧器の巻鉄心の製造方法。
【請求項４】
珪素鋼板薄帯を所定回数巻回して構成され且つ略楕円状に形成された巻鉄心素体の対応する二辺部のそれぞれを、所定の直線寸法となるように狭持用整形治具で狭持し、狭持しない方の対応する二辺部間に、これらの二辺部の所定の直線寸法を確保するための窓用整形治具を配置し、この状態で狭持しない二辺部の一方の辺部を設置面に設置し、この設置辺部の両側部に、コーナ用整形治具を設置し、前記狭持しない二辺部の他方の辺部の上面に反止め用整形治具を設置し、この状態で当該巻鉄心素体を焼鈍するようにしたことを特徴とする変圧器の巻鉄心の製造方法。
【請求項５】
珪素鋼板薄帯を所定回数巻回して構成され且つ略楕円状に形成された巻鉄心素体の対応する二辺部のそれぞれを、内側整形治具と外側整形治具とで挟持することで所定の直線寸法を確保する狭持用整形治具と、
これらの狭持用整形治具の一方を介して巻鉄心素体を吊持する吊持手段と、
この吊持手段により吊持された状態で前記巻鉄心素体の焼鈍を行なう焼鈍手段とを含んで構成されたことを特徴とする変圧器の巻鉄心の製造装置。
【請求項６】
珪素鋼板薄帯を所定回数巻回して構成され且つ略楕円状に形成された巻鉄心素体の対応する二辺部の内の一方の辺部を、内側整形治具と外側整形治具とで挟持することで所定の直線寸法を確保する狭持用整形治具と、
載置基準面から前記一方の辺部の上面までが所定の高さ寸法になるように、前記狭持用整形治具を介して巻鉄心素体を吊持する吊持手段と、
この吊持手段により吊持された巻鉄心素体の前記一方の辺部と対応する他方の辺部の上面に設置された反止め用整形治具と、
前記吊持手段により吊持された状態で前記巻鉄心素体の焼鈍を行う焼鈍手段とを含んで構成されたことを特徴とする変圧器の巻鉄心の製造装置。
【請求項７】
前記内側整形治具は、コーナ部を整形するコーナ整形部分を具備したことを特徴する請求項５記載の変圧器の巻鉄心の製造装置。
【請求項８】
前記内側整形治具及び反止め用整形治具は、コーナ部を整形するコーナ整形部分を具備したことを特徴する請求項６記載の変圧器の巻鉄心の製造装置。
【請求項９】
珪素鋼板薄帯を所定回数巻回して構成され且つ略楕円状に形成された巻鉄心素体の対応する二辺部のそれぞれを、内側整形治具と外側整形治具とで挟持することで所定の直線寸法を確保する狭持用整形治具と、
前記巻鉄心素体の狭持しない方の対応する二辺部間に配置され、これらの二辺部の所定の直線寸法を確保するための窓用整形治具と、
前記狭持用整形治具に互いに離反する方向の引張力を加えて巻鉄心素体を整形する引張整形手段と、
当該巻鉄心素体を焼鈍する焼鈍手段とを含んで構成されたことを特徴とする変圧器の巻鉄心の製造装置。
【請求項１０】
珪素鋼板薄帯を所定回数巻回して構成され且つ略楕円状に形成された巻鉄心素体の対応する二辺部のそれぞれを、内側整形治具と外側整形治具とで挟持することで所定の直線寸法を確保する狭持用整形治具と、
前記巻鉄心素体の狭持しない方の対応する二辺部間に設置され、これらの二辺部の所定の直線寸法を確保するための窓用整形治具と、
前記巻鉄心素体の狭持しない二辺部の一方の辺部が設置面に設置された状態で、その設置辺部の両側部に配置されるコーナ用整形治具と、
前記狭持しない二辺部の他方の辺部の上面に配置され反止め用整形治具と、
当該巻鉄心素体を焼鈍する焼鈍手段とを含んで構成されたことを特徴とする変圧器の巻鉄心の製造装置。
【発明の詳細な説明】
【技術分野】
【０００１】
本発明は、珪素鋼板薄帯を巻回して構成される変圧器の巻鉄心の製造方法及びその製造装置に関する。
【背景技術】
【０００２】
図１２は、従来の変圧器の巻鉄心の整形状態を示す。巻鉄心の製造に際しては、図１２に示すように、珪素鋼板帯を一巻回毎に切断して円形状に巻回した巻鉄心素体１０１をプレス成形機等（図示せず）で楕円形状に押圧変形させ、その孔１０２内に八角形状の整形用芯金１０３を嵌合わせる。そして、巻鉄心素体１０１の上下左右をプレス成形機等で押圧することで矩形状に整形し、この矩形状態を維持するために整形保持枠１０４を巻鉄心素体１０１の外周に嵌合わせる。このようにして、巻鉄心素体１０１が整形される。さらに、この状態の巻鉄心素体１０１を焼鈍炉等により焼鈍することにより、整形保持枠１０４を除いても矩形形状が維持された巻鉄心を得ることができる（例えば特許文献１参照）。
【特許文献１】特開平８−９７０６３号公報
【発明の開示】
【発明が解決しようとする課題】
【０００３】
しかしながら従来によれば、整形保持枠１０４は、矩形状に整形された巻鉄心素体１０１の外周に嵌合させるので、大形になるものであるが、寸法の異なる（容量の異なる）巻鉄心を製造する場合、それぞれの寸法に合わせた整形保持枠をそれぞれ用意する必要があり、大形の整形保持枠の数が多くなるといった問題があった。
本発明は上記事情に鑑みてなされたもので、巻鉄心素体の外周に嵌合させる整形保持枠を用いる必要がない変圧器の巻鉄心の製造方法及び製造装置を提供するにある。
【課題を解決するための手段】
【０００４】
請求項１記載の発明は、珪素鋼板薄帯を所定回数巻回して構成され且つ略楕円状に形成された巻鉄心素体の対応する二辺部のそれぞれを、所定の直線寸法となるように狭持用整形治具で狭持し、これら狭持用整形治具の一方を介して前記巻鉄心素体を吊持し、この状態で当該巻鉄心素体を焼鈍するようにしたことを特徴する。
【０００５】
請求項２記載の発明は、珪素鋼板薄帯を所定回数巻回して構成され且つ略楕円状に形成された巻鉄心素体の対応する二辺部の内の一方の辺部を、所定の直線寸法になるように狭持用整形治具で狭持し、載置基準面から前記一方の辺部の上面までが所定の高さ寸法になるように狭持用整形治具を介して前記巻鉄心素体を吊持すると共に、前記巻鉄心素体の前記一方の辺部と対応する他方の辺部の上面に反止め用整形治具を設置し、この状態で当該巻鉄心素体を焼鈍するようにしたことを特徴とする。
【０００６】
請求項３記載の発明によれば、珪素鋼板薄帯を所定回数巻回して構成され且つ略楕円状に形成された巻鉄心素体の対応する二辺部のそれぞれを、所定の直線寸法となるように狭持用整形治具で狭持し、狭持しない方の対応する二辺部間に、これらの二辺部の所定の直線寸法を確保するための窓用整形治具を配置し、この状態で前記狭持用整形治具に互いに離反する方向の引張力を加えて前記巻鉄心素体を整形し、しかる後、当該巻鉄心素体を焼鈍するようにしたことを特徴とする。
【０００７】
請求項４記載の発明によれば、珪素鋼板薄帯を所定回数巻回して構成され且つ略楕円状に形成された巻鉄心素体の対応する二辺部のそれぞれを、所定の直線寸法となるように狭持用整形治具で狭持し、狭持しない方の対応する二辺部間に、これらの二辺部の所定の直線寸法を確保するための窓用整形治具を配置し、この状態で前記狭持しない二辺部の一方の辺部を設置面に設置し、この設置辺部の両側部に、コーナ用整形治具を設置し、前記狭持しない二辺部の他方の辺部の上面に反止め用整形治具を設置し、この状態で当該巻鉄心素体を焼鈍するようにしたことを特徴とする。
【０００８】
請求項５記載の発明によれば、珪素鋼板薄帯を所定回数巻回して構成されかつ略楕円状に形成された巻鉄心素体の対応する二辺部のそれぞれを、内側整形治具と外側整形治具とで挟持することで所定の直線寸法を確保する狭持用整形治具と、これらの狭持用整形治具の一方を介して巻鉄心素体を吊持する吊持手段と、この吊持手段により吊持された状態で前記巻鉄心素体の焼鈍を行なう焼鈍手段とを含んで構成されたことを特徴とする。
【０００９】
請求項６記載の発明によれば、珪素鋼板薄帯を所定回数巻回して構成されかつ略楕円状に形成された巻鉄心素体の対応する二辺部の内の一方の辺部を、内側整形治具と外側整形治具とで挟持することで所定の直線寸法を確保する狭持用整形治具と、載置基準面から前記一方の辺部の上面までが所定の高さ寸法になるように、前記狭持用整形治具を介して巻鉄心素体を吊持する吊持手段と、この吊持手段により吊持された巻鉄心素体の前記一方の辺部と対応する他方の辺部の上面に設置された反止め用整形治具と、前記吊持手段により吊持された状態で前記巻鉄心素体の焼鈍を行う焼鈍手段とを含んで構成されたことを特徴とする。
【００１０】
請求項９記載の発明によれば、珪素鋼板薄帯を所定回数巻回して構成されかつ略楕円状に形成された巻鉄心素体の対応する二辺部のそれぞれを、内側整形治具と外側整形治具とで挟持することで所定の直線寸法を確保する狭持用整形治具と、前記巻鉄心素体の狭持しない方の対応する二辺部間に配置され、これらの二辺部の所定の直線寸法を確保するための窓用整形治具と、前記狭持用整形治具に互いに離反する方向の引張力を加えて巻鉄心素体を整形する引張整形手段と、当該巻鉄心素体を焼鈍する焼鈍手段とを含んで構成されたことを特徴とする。
【００１１】
請求項１０記載の発明によれば、珪素鋼板薄帯を所定回数巻回して構成されかつ略楕円状に形成された巻鉄心素体の対応する二辺部のそれぞれを、内側整形治具と外側整形治具とで挟持することで所定の直線寸法を確保する狭持用整形治具と、前記巻鉄心素体の狭持しない方の対応する二辺部間に設置され、これらの二辺部の所定の直線寸法を確保するための窓用整形治具と、前記巻鉄心素体の狭持しない二辺部の一方の辺部が設置面に設置された状態で、その設置辺部の両側部に配置されるコーナ用整形治具と、前記狭持しない二辺部の他方の辺部の上面に配置され反止め用整形治具と、当該巻鉄心素体を焼鈍する焼鈍手段とを含んで構成されたことを特徴とする。
【発明の効果】
【００１２】
本発明によれば、巻鉄心素体の対応する二辺部を狭持用整形治具により狭持して吊持し、さらに、その状態で焼鈍するだけの構成により変圧器の巻鉄心を製造することができる。従って、従来のような整形保持枠を用いる必要はない。（請求項１，５）
【００１３】
本発明によれば、巻鉄心素体の一辺を狭持用整形治具により狭持して吊持し、巻鉄心素体の一辺の上面に反止め用整形治具を使用して、さらに、その状態で焼鈍するだけの構成により変圧器の巻鉄心を製造することができる。従って、請求項１，５の発明と同様の効果が得られ、特に、巻鉄心の高さ寸法を所定にすることができる。（請求項２，６）
【００１４】
本発明によれば、略楕円形状に形成された巻鉄心素体の対応する二辺部それぞれを、狭持用整形治具で狭持すると共に、狭持しない二辺部間に窓用整形治具を配置し、前記狭持しない二辺部の内の一方の上面に反止め用整形治具を配置し、前記狭持しない二辺部の内の他方の辺部の両側部にコーナ用整形治具を設置し、その状態で焼鈍することにより、変圧器の巻鉄心を製造することができる。従って、請求項１，５の発明と同様の効果を得ることができる。（請求項４，１０）
【発明を実施するための最良の形態】
【００１５】
（第１の実施の形態）
以下本発明の第１の実施の形態について、図１ないし図４を参照しながら説明する。
図１において、巻鉄心１は、長辺部を示す脚部１ａ、短辺部を示す継鉄部１ｂ及びこれらの間を連結する傾斜状のコーナ部１ｃを含んで略矩形状に形成され、具体的には、八角形（多角形）に形成され、その内周の空間は、窓部１ｄを形成する。
例えば、単相変圧器としては、巻鉄心１の一方の脚部１ａに一次巻線が巻装され、他方の脚部１ａに二次巻線が巻装されて、変圧器本体が構成される。
【００１６】
次に、巻鉄心１の製造装置による製造方法を、図２ないし４を参照しながら説明する。
図２において、巻鉄心素体２は、珪素鋼板薄帯を、一巻回毎に一個所切断を行なうワンターンカット方式にて、所定寸法の円形状になると共に所定の厚さである断面積を有すように所定回数巻回したものを固定バンド３により固定して構成されている。
【００１７】
図３は、整形後の巻鉄心１を示している。まず、この図３のように整形するために、図２に示した巻鉄心素体２の対応する二個所をプレス機等で押圧することで、巻鉄心素体２を略楕円形状に変形させる。その状態で、略楕円状に形成された巻鉄心素体２の対応する二辺部（整形後の継鉄部１ｂ，１ｂに相当）のそれぞれの外側に矩形板状の外側整形治具４，４を配置すると共に、それぞれの内側に内側整形治具５，５を配置し、対応する外側整形治具４，４と内側整形治具５，５とを各二本のボルト６等で連結することで（外側及び内側整形治具４及び５ならびにボルト６等が狭持用整形治具７を構成）、巻鉄心素体２の対応する二辺部が狭持される。この内側整形治具５は、図４に示すように、整形後の継鉄部１ｂの直線寸法を有する継鉄部整形面５ａと整形後のコーナ部１ｃを整形するためのコーナ整形面（コーナ整形部分）５ｂ，５ｂとを含んで構成されている。尚、巻鉄心素体２の対応する二辺部の内の一方の辺部は、珪素鋼板薄体を巻回するときに切断した部分（継目部）が集合している辺部であり、その辺部を外側及び内側整形治具４及び５で狭持することで同時にバラけるのを防止しているのである。
【００１８】
そして、耐熱性のある材料で形成された吊時装置（吊持手段に相当）８により、一方の外側整形治具４を介して、巻鉄心素体２全体が吊持された状態で、図示しない焼鈍炉（焼鈍手段に相当）にて焼鈍を行なう。この焼鈍は、巻鉄心素体２の整形過程において内部に発生した歪みを取り除くために行なわれ、焼鈍中の巻鉄心素体２は、約８００℃まで加温されるため、鉄心材料である珪素鋼板の剛性が低下する。すると、図３に示すように、狭持用整形治具７及び巻鉄心素体２の自重により巻鉄心素体２の狭持しない二辺部が直線状に引っ張られて脚部１ａ，１ａが整形され、外側及び内側整形治具４及び５の押圧力と前記自重とにより、継鉄部１ｂ，１ｂと４つのコーナ部１ｃとが整形される。そして、焼鈍後に狭持用整形治具７，７を取り外すことで、所定の寸法形状の巻鉄心１を得ることができる。
【００１９】
以上のようにして、珪素鋼板薄帯を所定回数巻回して且つ楕円状に変形させた巻鉄心素体２の対応する二辺部のそれぞれを、狭持用整形治具７，７により狭持し、その巻鉄心素体２を狭持用整形治具７，７の一方を介して吊持装置８により吊持して焼鈍する製造方法により、良好な寸法形状を有した変圧器の巻鉄心１を製造することができる。また、巻鉄心１と寸法の異なった巻鉄心を製造する場合は、巻鉄心の寸法に合わせて内側整形治具を用意し、外側整形治具４，４を共通に使用することで、寸法の異なった巻鉄心を整形することができる。
【００２０】
このような構成によれば、従来のような巻鉄心素体の外周に嵌合する整形保持枠を用いなくてもよく、また、寸法に合わせた内側整形治具を交換用治具として用意するだけでよく、以って、巻鉄心製造における作業性を向上させることができると共に、整形治具の数が少なくてすむ。
【００２１】
（第２の実施の形態）
図５は、本発明の第２の実施の形態を示している。この図５においては、第１の実施の形態と、同一の構成については同一の符号を付し、以下異なるところについて説明する。
【００２２】
第１の実施の形態では、狭持用整形治具７，７の２つを使用する構成としたが、この第２の実施の形態では、巻鉄心素体２の対応する二辺部の内の一方の辺部を狭持用整形治具７により狭持して吊持する。この場合、焼鈍炉の床面には、台座１０が設置されており、この台座１０の上面（載置基準面に相当）１０ａから狭持された一方の辺部（整形後の上部の継鉄部１ｂに相当）の上面までの高さ寸法Ｈを巻鉄心１の所定の高さの寸法に設定した状態で吊持装置８により外側整形治具４を介して巻鉄心素体２が吊持される。そして、巻鉄心素帯２の対応する二辺部の他方の辺部の上面に、反止め用整形治具９が設置される。この反止め用整形治具９は、内側整形治具５と略同じ形状であり、継鉄部１ｂとコーナ部１ｃとを整形するための継鉄部整形面９ａ及びコーナ整形部分たるコーナ整形面９ｂを有する。そして、この反止め用整形治具９を設置した状態で（この状態においては、巻鉄心素体２の対応する他方の辺部は、台座１０に接していない）、焼鈍を行なう。すると、図５に示すように、巻鉄心素体２の剛性が低下して、反止め用整形治具９及び巻鉄心素体２の自重により巻鉄心素体２が直線状に引っ張られ脚部１ａ，１ａが整形され、反止め用整形治具９の重さと巻鉄心素体２の自重とにより巻鉄心素体２の他方の二辺部の底面が台座１０に接するまで変形し、反止め用整形治具９の重さにより、巻鉄心素体２の間に押圧力がかかり、反止め用整形治具９の形に添って継鉄部１ｂが整形されると共にコーナ部１ｃが整形される。そして、図１に示すような、所定寸法に整形された巻鉄心１を得ることができる。
【００２３】
以上のようにして、珪素鋼板薄帯を所定回数巻回して且つ楕円状に形成させた巻鉄心素体２の対応する二辺部の一方の辺部を狭持用整形治具７により狭持し、この狭持用治具７を介して、載置基準面としての台座１０の上面から前記一方の辺部の上面までが所定の高さ寸法Ｈとなるように、吊持装置８により吊持すると共に、巻鉄心素体２の前記一方の辺部と対応する他方の辺部の上面に反止め用整形治具９を配置して、焼鈍する製造方法により、良好な寸法形状を有した変圧器の巻鉄心を製造することができる。また、巻鉄心１と寸法の異なった巻鉄心を製造する場合は、巻鉄心の寸法に合わせて内側整形治具と反止め用整形治具を用意し、外側整形治具４を共通に使用することで、寸法の異なった巻鉄心を整形することができる。
【００２４】
このような構成によれば、前記第１の実施の形態と同様の効果が得られる。特に、この第２の実施の形態によれば、台座１の上面から巻鉄心素体２の一方の辺部の上面までの高さ寸法が所定の高さ寸法Ｈとなるようにして巻鉄心素体２を吊持するようにしたので、焼鈍時に巻鉄心素体２の高さ寸法がＨになった（伸長した）時には巻鉄心素体２の下方の辺部は台座１０の上面で受けられて、それ以上の伸長は阻止されるようになり、従って、巻鉄心１の高さ寸法を所定の高さ寸法Ｈに確実に規定することができる。
尚、第２の実施の形態では、台座１０を用いてその上面を載置基準面としたが、この台座１０を省略して、代わりに焼鈍炉の床面を載置基準面としてもよい。
【００２５】
（第３の実施の形態）
図６及び図７は本発明第３の実施の形態であり、第１の実施の形態を同一部分には同一符号を付して示し、以下異なる部分について説明する。
【００２６】
内側整形治具５に代わる内側整形治具１１は、図６で示すように、凸形状に形成され、継鉄部整形面１１ａの他に、コーナ整形部分１１ｂ，１１ｃを有す。そして、この内側整形治具１１は、外側整形治具４及びボルト６等と共に狭持用整形治具１２を構成する。図７は内側整形治具１１を適用して整形された巻鉄心を示す。この図７に示す巻鉄心１は、コーナ整形部分１１ｂ、１１ｃの両角によってコーナ部１ｃが整形される。
【００２７】
このような構成によれば、内側整形治具１１は、凸形状をなしてコーナ整形部分１１ｂ、１１ｃを有すことで、巻鉄心１のコーナ部１ｃを整形することができると共に、上記第１の実施の形態の内側整形治具５のコーナ整形面５ｂをカットしてコーナ整形部分１１ｂ、１１ｃを構成する形態であるので、内側整形治具５に比し軽量化することができる。
【００２８】
（変形例）
内側整形治具は、コーナ整形部分１１ｂ、１１ｃに相当する部分を有している構成ならば良いため、図８及び図９に示すような内側整形治具１３及び１４を用いてもよく、その場合、継鉄部整形面１３ａ，１４ａ及びコーナ整形部分１３ｂ，１４ｂ並びに１３ｃ，１４ｃは、内側整形治具１１の継鉄部整形面１１ａ及びコーナ整形部分１１ｂ並びに１１ｃに対応する。
また、上記変形例では内側整形治具に適用した例を示しているが、内側整形治具と略同じ形状である反止め用整形治具に適用してもよい。
【００２９】
（第４の実施の形態）
図１０は、本発明の第４の実施の形態を示しており、上記第１の実施の形態と、同一部分には同一の符号を付して示し、以下異なるところについて説明する。
【００３０】
第１の実施の形態で用いた内側整形治具５の代わりに矩形板状の内側整形治具１５を用い、狭持用整形治具１６を構成し、さらに、巻鉄心素体２における狭持用整形治具１６，１６により狭持しない方の対応する二辺部（整形後の巻鉄心１の脚部１ａ，１ａ間に相当）に、巻鉄心素体２の整形後の脚部１ａの必要な所定の直線寸法となるように複数個例えば２個の窓用整形治具１７，１７を並べて配置する。この窓用整形治具１７は、長方形板形状の珪素鋼板を積層して構成され、この積層鋼板には、棒部材１７ａを挿入するための棒孔１７ｂが設けられている。そのため、窓用整形治具１７は、棒孔１７ｂに棒部材１７ａを挿入することで珪素鋼板を重ねて高さを変化させることができると共に、窓用整形治具１７，１７間の間隔寸法を変化させることにより、整形後の脚部１ａに必要な所定の寸法になるように組み合わせて使用することができる。そして、図示しない引張り機（引張り手段に相当）により、それぞれの外側整形治具４，４を介して対応する二辺が互いに離反する方向に引張力を加えることで、巻鉄心素体２が塑性変形されて整形される。この状態でそれぞれの狭持用整形治具１６，１６が焼鈍炉の床に接するように配置して、焼鈍を行なう。すると、整形後の脚部１ａ，１ａに相当する二辺部は、狭持用整形治具１６，１６の自重による摩擦力により動かない為、たるみが発生することはなく整形された形状が維持され、さらに、窓用整形治具１７は、焼鈍中に線膨張係数の違いにより熱膨張したとしても、積層鋼板で構成されているため圧延方向に膨張する。そのため、窓用整形治具１７は、窓用整形治具１７と内側整形治具１５との空間を埋める方向に膨張し、整形後の脚部１ａ，１ａに影響を与える方向への膨張は極めて少ない。そして、巻鉄心素体２の内部に生じた歪みを除去することができ、図１に示すような、所定の寸法形状を有した巻鉄心１を製造することができる。
【００３１】
以上のように、珪素鋼板薄帯を所定回数巻回して楕円状に変形させた巻鉄心素体２の対応する二辺部のそれぞれを、外側及び内側整形治具４及び１５を含む狭持用整形治具１６，１６により狭持し、狭持しない方の対応する二辺部間に窓用整形治具１７，１７をこれら二辺部の所定の直線寸法になるように組み合わせて配置し、引張り機等でそれぞれの外側整形治具４，４を介して対応する二辺が互いに離反する向きに引張力を加えて整形してから、焼鈍を行なうことにより、良好な寸法形状を有した巻鉄心を製造することができる。
このような構成によれば、第１の実施の形態と同様の効果が得られる。
【００３２】
（第５の実施の形態）
図１１は、本発明第５の実施の形態を示しており、第４の実施の形態と同一部分には同一符号を付して示し、以下異なるところについて説明する。
上記第４の実施の形態において、巻鉄心素体２の対応する二辺部のそれぞれを狭持用整形治具１６，１６により狭持し、狭持しない方の対応する二辺部間に窓用整形治具１７，１７を設けた状態で引張り機等により引っ張る構成としたが、この実施の形態では、引張り機を用いて引張ることなく、狭持用整形治具１６，１６と窓用整形治具１７，１７を設けた状態で、狭持しない二辺部の一方の辺部（整形後の脚部１ａの一方に相当）が台座１８の上面（設置面に相当）１８ａに設置された状態で、その一方の辺部（設置辺部に相当）の両側部（巻鉄心１のコーナ部１ｃを整形する位置に相当）のそれぞれに、三角柱状に形成されて傾斜面１９ａ、１９ａを有したコーナ用整形治具１９，１９を配置し、狭持しない二辺部の他方の辺部（整形後の脚部１ａの他方に相当）の上面に、焼鈍中の反りを防止するための反止め用整形治具２０を配置した状態で、焼鈍を行う。この焼鈍中は、巻鉄心素体２の剛性が低下するため、図１１に示すように、狭持用整形治具１６，１６と巻鉄心素体２との重さにより、巻鉄心素体２がコーナ用整形治具１９の傾斜面１９ａの形に添って整形されて巻鉄心１のコーナ部１ｃが整形される。さらに、巻鉄心素体２の対応する狭持しない辺部は、窓用整形治具１７と反止め用整形治具２０との重さにより押圧されて、巻鉄心１としての脚部１ａが整形される。
【００３３】
以上のように、珪素鋼板薄帯を所定回数巻回して楕円状に変形させた略楕円形状に形成された巻鉄心素体２の対応する二辺部それぞれを、外側及び内側整形治具４及び１５を含む狭持用整形治具１６，１６により狭持し、狭持しない方の対応する二辺部間に窓用整形治具１７，１７をこれら二辺部の所定の直線寸法になるように組み合わせて配置し、この状態で狭持しない二辺部の一方の辺部を設置面である台座１８に設置し、この一方の辺部の両側部にコーナ用整形治具１９，１９を設置し、狭持しない二辺部の他方の辺部の上面に反止め用整形治具２０を設置した状態で、焼鈍することにより、良好な寸法形状を有した巻鉄心１を製造することができる。
このような構成によっても、第１の実施の形態と同様の効果を得ることができる。
【００３４】
（その他の実施の形態）
上記実施の形態において、内側整形部材５，１１，１３，１４を用いる構成としたが、巻鉄心のコーナを整形できる形状のコーナ整形部分を有したものならどんなものでも良い。また、コーナ部１ｃは、斜面で構成されているが、曲線で構成してもよく、その場合は、コーナ整形部分は、曲面で形成されるようにする。
【００３５】
第４及び第５の実施の形態では、珪素鋼板を積層してその棒孔１７ｂに棒部材１７aを挿入することにより窓用整形治具１７を構成したが、例えば、最小単位の窓寸法に応じて珪素鋼板を積層固定して基準ブロックを構成し、窓寸法に合わせて、この基準ブロックに調節用の珪素鋼板を積み重ねて調節するようにした窓用整形治具を用いてもよい。
【００３６】
また、上記実施の形態において、窓用整形治具１７は、珪素鋼板を積層して構成され、脚部１ａの寸法に合わせて、二つに分割して並べて配置する構成としたが、三つ以上の窓用整形治具により脚部１ａの寸法に合わせて配置してもよく、また、分割することなく一つの窓用整形治具により整形しても良い。
【００３７】
上記第５の実施の形態において、係斜面１９ａを有した三角柱形状コーナ用整形治具１９を使用して巻鉄心１のコーナ部１ｃを整形する構成としたが、傾斜面１９ａの代わりに円弧状に形成されたコーナ用整形治具を使用して、円弧状のコーナ部を有した巻鉄心を整形することができる。
【図面の簡単な説明】
【００３８】
【図１】本発明の第１の実施の形態の巻鉄心を示す図
【図２】巻鉄心素体を示す斜視図
【図３】整形後の巻鉄心を示す斜視図
【図４】内側整形治具を示す斜視図
【図５】本発明の第２の実施の形態を示す図３相当図
【図６】本発明の第３の実施の形態を示す図４相当図
【図７】図３相当図
【図８】変形例を示す図６相当図
【図９】変形例を示す図６相当図
【図１０】本発明の第４の実施の形態を示す整形後の巻鉄心を示す上面図
【図１１】本発明の第５の実施の形態を示す整形後の巻鉄心を示す側面図
【図１２】従来例の巻鉄心の整形状態を示す図
【符号の説明】
【００３９】
図面中、１は巻鉄心、２は巻鉄心素体、４は外側整形治具、５，１１，１３，１４，１５は内側整形治具、７，１２，１６は狭持用整形治具、８は吊持装置（吊持手段）、９，２０は反止め用整形治具、１０，１８は台座、１０ａは上面（載置基準面）、１８ａは上面（設置面）、１１ｂ，１１ｃ，１３ｂ，１３ｃ，１４ｂ，１４ｃはコーナ整形部分、１７は窓用整形治具、１９はコーナ用整形治具を示す。
【図１】
2005286169.tif 000003
【図２】
2005286169.tif 000004
【図３】
2005286169.tif 000005
【図４】
2005286169.tif 000006
【図５】
2005286169.tif 000007
【図６】
2005286169.tif 000008
【図７】
2005286169.tif 000009
【図８】
2005286169.tif 000010
【図９】
2005286169.tif 000011
【図１０】
2005286169.tif 000012
【図１１】
2005286169.tif 000013
【図１２】
2005286169.tif 000014